(57)【特許請求の範囲】
【請求項１】
商品を収容した商品収容部とヘッダ部とからなる商品包装体と、前記商品包装体を複数収納する箱本体とを備えるディスプレイ兼用包装箱であって、
前記箱本体は、
互いに対向する前板部および後板部と、
互いに対向する左右の側板部と、
平面視において長方形状をなし、所定数の前記商品包装体を起立状態で前後方向に載置することが可能な底板部と、
前記底板部上に載置した各前記商品包装体の商品収容部上に他の前記商品包装体の商品収容部をそれぞれ載置して上下２段に並べた複数の前記商品包装体を収納可能な収納空間と、を少なくとも有し、
前記前板部は、少なくともその一部が裂開可能に形成され、前記前板部の裂開により収納された前記商品包装体を露出可能にする開口部が形成されるとともに、前記開口部には、最前列上段の前記商品包装体を支持して前記開口部からの転落を防ぐ転落防止手段が設けられ、
前記商品包装体の商品収容部は、その上面の少なくとも一部が、上段に位置する前記商品包装体が下段に位置する前記商品包装体の商品収容部上を前方に滑ることが可能なように、前方に向けて低く傾斜しているディスプレイ兼用包装箱。
【請求項２】
前記商品包装体の商品収容部は、その上面に前方に向けて低く傾斜する湾曲部分を備え、
前記湾曲部分をつたって上段に位置する商品包装体が下段に位置する商品包装体の商品収容部上を前方に滑る請求項１に記載のディスプレイ兼用包装箱。
【請求項３】
前記商品包装体の商品収容部は、その上面に平面部分と前記平面部分と連続する前記湾曲部分とを備え、上段に位置する商品包装体は、下段に位置する商品包装体の商品収容部上に、その重心が前記平面部分の中央位置よりも前方側へ偏るように配置されている請求項２に記載のディスプレイ兼用包装箱。
【請求項４】
前記商品包装体の商品収容部は、その上面が凸状の湾曲面に形成されており、上段に位置する商品包装体は、下段に位置する商品包装体の商品収容部上に、その重心が、前記商品収容部上面の頂部位置よりも前方側へ偏るように配置されている請求項１に記載のディスプレイ兼用包装箱。
【請求項５】
前記箱本体は、上面に開口を有しており、前記上面開口は蓋体により開閉可能である請求項１〜４のいずれかに記載のディスプレイ兼用包装箱。
【請求項６】
前記転落防止手段は、前記前板部の一部の裂開により形成される前記前板部の残存部により構成され、
前記前板部の残存部は、前記前板部の両側縁から所定領域を残して遊離させることにより形成される請求項１〜５のいずれかに記載のディスプレイ兼用包装箱。
【発明の詳細な説明】
【技術分野】
【０００１】
本発明は、商品を収容する商品収容部に隣接してヘッダ部が設けられてなる商品包装体を収納して搬送するための包装箱として使用した後、搬送先である販売店で収納された商品包装体をそのまま展示することができるディスプレイ兼用包装箱に関するものである。
【背景技術】
【０００２】
従来から、包装した個々の商品を搬送用の包装箱から取り出さずに、店頭においてそのまま展示できるように構成されたディスプレイ兼用包装箱が知られている。この種のディスプレイ兼用包装箱としては、段ボールや厚紙からなる包装箱の胴部に全周に亘って開封用の切目線を刻設しておき、この切目線を切り取り、箱の上半部を切り離して、その下半部をそのままトレーとして使用することで、箱の内部に複数並べられた商品包装体を展示するようにしたものが提案されている（例えば、特許文献１参照）。
【０００３】
店頭での展示に際しては、包装箱が何段か上下に積み重ねられるのが一般的である。この特許文献１に記載のディスプレイ兼用包装箱では、最上段の包装箱については箱上半部を切離してトレー状とする一方、最上段を除く下段の包装箱については、胴部の正面部に設けられたミシン目を切り取って窓状に開口することで、開口部から内部の商品包装体を見ることが可能で、積み重ねられるようになっている。
【０００４】
しかしながら、上記した引用文献１に記載のディスプレイ兼用包装箱では、商品包装体を一列に並べて収納するものであるため、包装箱内の商品収容部の上部に無駄な空隙が生じてしまい、包装箱としては商品包装体の収納効率が悪いものとなっていた。
【０００５】
そこで、包装箱の内部に、商品包装体を横向きの状態にして、商品収容部がそれぞれ互い違いで向き合うように交互に入れるようにしたものも提案されている（例えば、特許文献２参照）。この特許文献２に記載のディスプレイ兼用包装箱では、包装箱の中央部分に設けられた切目線を切り取った後、包装箱を観音開きして開封することにより、開封により左右２つに分割された半割状の包装箱に複数の商品包装体がそれぞれ起立した状態で収容される結果、これらを設置することで、商品包装体を展示できるようになっている。
【先行技術文献】
【特許文献】
【０００６】
【特許文献１】実用新案登録第２５９９７９０号公報
【特許文献２】特許第４２５３５４５号公報
【発明の概要】
【発明が解決しようとする課題】
【０００７】
しかしながら、上記した特許文献２に記載のディスプレイ兼用包装箱では、包装箱内の無駄な空隙が削減されるので、商品包装体の収納効率を上げることができるが、商品包装体を展示可能な状態で上下に積み重ねると、不安定になり、積み重ねることができなかった。そのため、包装箱が上下に複数段積み重ねられた状態では、最上段の包装箱のみが開封されて、下段については開封して展示することができず、ただの包装箱が積まれているだけとなり、店頭での陳列の際に、来店者に視覚的に与える商品陳列ボリューム感が少ないものになるという問題がある。
【０００８】
本発明は、上記した問題に着目してなされたものであり、商品包装体の収納効率が向上するとともに、下段に積まれた包装箱についても、内部の商品包装体をディスプレイする
ことができるディスプレイ兼用包装箱を提供することを目的とする。
【課題を解決するための手段】
【０００９】
本発明の上記目的は、商品を収容した商品収容部とヘッダ部とからなる商品包装体と、前記商品包装体を複数収納する箱本体とを備えるディスプレイ兼用包装箱であって、前記箱本体は、互いに対向する前板部および後板部と、互いに対向する左右の側板部と、平面視において長方形状をなし、所定数の前記商品包装体を起立状態で前後方向に載置することが可能な底板部と、前記底板部上に載置した各前記商品包装体の商品収容部上に他の前記商品包装体の商品収容部をそれぞれ載置して上下２段に並べた複数の前記商品包装体を収納可能な収納空間と、を少なくとも有し、前記前板部は、少なくともその一部が裂開可能に形成され、前記前板部の裂開により収納された前記商品包装体を露出可能にする開口部が形成されるとともに、前記開口部には、最前列上段の前記商品包装体を支持して前記開口部からの転落を防ぐ転落防止手段が設けられ、前記商品包装体の商品収容部は、その上面の少なくとも一部が、上段に位置する前記商品包装体が下段に位置する前記商品包装体の商品収容部上を前方に滑ることが可能なように、前方に向けて低く傾斜しているディスプレイ兼用包装箱により達成される。
【００１０】
本発明の好ましい実施態様においては、前記箱本体は、上面に開口を有しており、前記上面開口は蓋体により開閉可能であることを特徴としている。
【００１１】
本発明の好ましい実施態様においては、前記商品包装体の商品収容部は、その上面に前方に向けて低く傾斜する湾曲部分を備え、前記湾曲部分をつたって上段に位置する商品包装体が下段に位置する商品包装体の商品収容部上を前方に滑ることを特徴としている。
【００１２】
本発明のさらに好ましい実施態様においては、前記商品包装体の商品収容部は、その上面に平面部分と前記平面部分と連続する前記湾曲部分とを備え、上段に位置する商品包装体は、下段に位置する商品包装体の商品収容部上に、その重心が前記平面部分の中央位置よりも前方側へ偏るように配置されていることを特徴としている。
【００１３】
本発明の好ましい他の実施態様においては前記商品包装体の商品収容部は、その上面が凸状の湾曲面に形成されており、上段に位置する商品包装体は、下段に位置する商品包装体の商品収容部上に、その重心が、前記商品収容部上面の頂部位置よりも前方側へ偏るように配置されていることを特徴としている。
【００１４】
本発明のさらに好ましい実施態様においては、前記転落防止手段は、前記前板部の一部の裂開により形成される前記前板部の残存部により構成され、前記前板部の残存部は、前記前板部の両側縁から所定領域を残して遊離させることにより形成されることを特徴としている。
【発明の効果】
【００１９】
本発明のディスプレイ兼用包装箱によれば、商品包装体の収納効率を向上できるとともに、最上段だけでなく、下段に積まれた包装箱についても、内部の商品包装体をディスプレイすることができる。
【図面の簡単な説明】
【００２０】
【図１】本発明の一実施形態であるディスプレイ兼用包装箱の外観を示す斜視図である。
【図２】図１のディスプレイ兼用包装箱の断面図である。
【図３】箱本体の斜視図である。
【図４】箱本体の前板部を裂開した状態の斜視図である。
【図５】箱本体を形成する型紙の平面図である。
【図６】商品包装体が収納された箱本体の前板部を裂開した状態の斜視図である。
【図７】商品包装体が収納された箱本体の前板部を裂開した状態の正面図である。
【図８】商品包装体の側面図である。
【図９】ディスプレイ兼用包装箱を積み上げた使用状態を説明する斜視図である。
【図１０】ディスプレイ兼用包装箱の他の実施形態を示す正面図である。
【図１１】ディスプレイ兼用包装箱の他の実施形態を示す正面図である。
【図１２】ディスプレイ兼用包装箱の他の実施形態を示す正面図である。
【図１３】ディスプレイ兼用包装箱の他の実施形態を示す正面図である。
【図１４】商品包装体の他の実施形態を示す側面図である。
【発明を実施するための形態】
【００２１】
以下、本発明の実施形態について、添付図面を参照して説明する。図１は、本発明の一実施形態であるディスプレイ兼用包装箱１の外観構成を、図２は、図１のディスプレイ兼用包装箱１の内部構成を、それぞれ示している。図示例のディスプレイ兼用包装箱１は、複数個の商品包装体２を収納して搬送することが可能な包装箱として機能するとともに、店頭において、収納された個々の商品包装体２を包装箱から取り出すことなく、そのまま展示することが可能なディスプレイ箱としても機能するものである。
【００２２】
このディスプレイ兼用包装箱１は、段ボールなどの紙材料からなり、上面に開口３０を有する箱本体３と、箱本体３の上面開口３０を塞ぐ取り外し可能な蓋体４とにより構成されている。
【００２３】
箱本体３は、図３および図４に示すように、長方形状の底板部３１と、互いに対向する前板部３２および後板部３３と、互いに対向する左右一対の側板部３４，３４とが一体に設けられた箱型の容器である。箱本体３の上面は開口しており、この上面開口３０から商品包装体２を取り出すことも可能となっている。底板部３１、前板部３２、後板部３３、および両側板部３４とで囲まれた空間が商品包装体２の収納空間３５である。本発明に係るディスプレイ兼用包装箱１では、箱本体３の収納空間３５内に、商品包装体２が上下二段に配置された状態で、前後方向に複数並べられる。
【００２４】
商品包装体２は、図８に示すように、商品２１を収容した商品収容部２０に隣接してヘッダ部２２が設けられた構成のものであり、商品収容部２０が、ヘッダ部２２の一方の表面に対して外側へ突き出た形状となっている。この商品収容部２０上に他の商品包装体２の商品収容部２０を載せた状態で、これを箱本体３の底板部３１上に複数配列することにより、複数の商品包装体２を上下二段で収納可能となっている。この商品包装体２は、本実施形態では、商品２１をシュリンクフィルムなどの筒状の樹脂製フィルム（図示せず）で厚紙材からなる略矩形状の台紙２３に巻き付けて一体に包装した構成のものである。
【００２５】
商品２１としては、本実施形態では、薬液、化粧品、香料、飲料水などの内容物が内部
に充填された容器２１Ａが用いられている。この容器２１Ａは、頭部２１Ｂと内容物を貯留する胴部２１Ｃとの間に、内側にくびれた首部２１Ｄを有している。この首部２１Ｄを台紙２３に形成された容器保持孔（図示せず）に嵌合させることにより、容器２１Ａが横倒しの状態で台紙２３に支持されている。
【００２６】
台紙２３の下端部には、支持片２４が一体に連設されている。この支持片２４は、折り曲げ線（図示せず）によって前方側へ折り曲げることができるように構成されており、水平にして横倒しの状態で支持された容器２１Ａの下側側面に当接させることにより、商品包装体２を、箱本体３の底板部３１上に起立状態で載置することが可能となっている。
【００２７】
なお、上記した形態の商品包装体２では、容器２１Ａが樹脂製フィルムに包装された状態で台紙２３に支持されている部分が商品収容部２０を構成し、台紙２３の容器２１Ａから上方に突き出る部分がヘッダ部２２を構成しているが、必ずしも上記した形態のものに限られるものではない。例えば、台紙の上に商品を載せた後、商品を収納可能な凹部を有する透明のプラスチックカバーを商品の上から被せて包装するブリスタパック式の商品包装体や、ヘッダ部を有する箱体内に商品を包装した形式の商品包装体など、商品を収容した商品収容部２０がヘッダ部２２に対して外側へ突き出た形状となっているものであれば、種々の形態のものを想定できる。
【００２８】
上記した形態の商品包装体２を、商品収容部２０（容器部分）が同一方向に突出するように、箱本体３の底板部３１上に複数並べて配列した後、底板部３１上に並べた各商品包装体２の商品収容部２０（容器部分）上に、別の新たな商品包装体２の商品収容部２０（容器部分）を、それぞれ前後の下段の商品包装体２のヘッダ部２２で挟んだ状態で載置する。これにより、複数の商品包装体２が上下二段を維持した状態で箱本体３内に収納される（図２参照）。なお、最前列上段の商品包装体２は、箱本体３の前板部３２と、一つ後の下段に位置する商品包装体２のヘッダ部２２とで挟まれた状態で収納される。この収納状態では、各商品包装体２の台紙２３の両側縁と箱本体３の各側板部３４との間に、外部衝撃が直接各商品包装体２に伝わることがないよう、各商品包装体２ががたつくことがない程度の僅かな隙間がそれぞれ設けられるとともに、上段に位置する各商品包装体２の台紙２３の上縁と箱本体３のフラップ３４ａとの間にも、それぞれ僅かな隙間が設けられるように、箱本体３の寸法が適宜設定されている。
【００２９】
ここで、本実施形態では、図８に示すように、商品収容部２０の上面（本実施形態では、容器２の上側側面）には、上段に載置される商品包装体２の商品収容部２０を受けるための平面部分２５に加えて、前記平面部分２５から前方に向けて低く傾斜する湾曲部分２６が形成されている。図２に示すように、上段に載置される各商品包装体２は、下段に載置される各商品包装体２の商品収容部２０（容器部分）上に、その重心位置が前記平面部分２５の中央位置よりも前方側へ偏るように配置され、これにより、商品包装体２を自然に段積みした状態では、上段に載置された商品包装体２は、下段に載置された商品包装体２の商品収容部２０（容器部分）上を前記湾曲部分２６を介して前方に滑るようになっている。本実施形態では、上段に位置する商品包装体２の台紙２３から突き出た容器２１Ａの頭部２１Ｂが、下段に位置する商品包装体２のヘッダ部２２に突き当たることにより、その重心位置が前記平面部分２５の中央位置よりも前方側へ偏るようになっている。
【００３０】
上段に位置する各商品包装体２は、箱本体３内に上下二段積みされた状態では、一つ前の下段に位置する商品包装体２のヘッダ部２２がストッパーとなって、前方に滑り落ちることが防止されるために、上段位置に保持されている。一方、一つ前の下段に位置する商品包装体２が取り除かれると、上段に位置する商品包装体２は、上記したストッパーが無くなるために、自然と前方に滑り落ち、箱本体３の底板部３１上に落下する。このとき、商品収容部２０は、その下面の支持片２４が水平面に形成されているため、箱本体３の底
板部３１上に起立状態で着地する。このように、本実施形態では、上段に位置する商品包装体２は、一つ前の下段に位置する商品包装体２が取り出されると、自然に箱本体３の底板部３１上に落下して、少しでも箱本体３内の前方位置に配置されるようになる。よって、後列側に収納された商品包装体２についても箱本体３から取り出し易くなるとともに、箱本体３内に残っている商品包装体２が見易くなるため、商品の陳列効果の向上を図ることができる。
【００３１】
図１および図２に戻って、蓋体４は、箱本体３の上面開口３０を塞ぐことが可能な大きさを有する天面部４０を有し、天面部４０の短辺側にはそれぞれ折り目４２を介して側面部４１ａ，４１ｂが連設されている。各側面部４１ａ，４１ｂは、箱本体３の前板部３２および後板部３３の一部分をそれぞれ覆っており、前記部分を補強している。なお、蓋体４は、必ずしも箱本体３と別体である必要はなく、箱本体３に、その上面開口３０を開閉可能なように、一体形成されていてもよい。
【００３２】
箱本体３は、図３および図４に示すように、各側板部３４の上縁に、それぞれフラップ３４ａ，３４ａが一体形成されている。各フラップ３４ａは、折り目１４ａ，１４ａに沿ってそれぞれ屈曲可能に形成されており、蓋体４の天面部４０を糊付けなどで貼着するための貼着面として機能する。
【００３３】
前板部３２には、両側縁の略中央位置に、前板部３２を裂開可能なように、上縁から下方に向かって延びる裂開補助線３６が設けられている。この裂開補助線３６は、本実施形態では、詳細は後述するが、前板部３２を構成する２つの半割板部３２ａ，３２ｂを、その端面を付き合わせることによって設けられる継ぎ目によって形成されている。なお、裂開補助線３６の構成は、本実施形態のものに限られず、例えば、前板部３２の両側縁の略中央位置に、切目線を上縁から下方に向かって延びるように設けることにより、形成してもよい。また、前板部３２の下方位置には、裂開補助線３６に対して左右方向に向かって延びる横切目線３７が形成されている。この横切目線３７は、本実施形態では、中央部が下方に凹んだ段差を有する形状に形成されている。
【００３４】
これらの裂開補助線３６および横切目線３７を介して前板部３２の一部を裂開し、裂開によって形成された一対の裂開板部５３ａ，５３ｂを、前板部３２の各側縁に沿って観音開きさせることにより、図４に示すように、箱本体３の前面には開口部３８が形成される。この開口部３８により、箱本体３内部に収納された商品包装体２が露出し、これをディスプレイすることが可能となっている。
【００３５】
また、各側板部３４および後板部３３には、前板部３２の横切目線３７と連続する切目線３９が形成されている。この切目線３９は、本実施形態では、前板部３２の横切目線３７との接続位置から後方に向かうにつれ徐々に上昇した後、その後は水平を保った状態で後板部３３まで延びており、前板部３２の横切目線３７と、側板部３４および後板部３３の切目線３９とで、箱本体３の上方部分を切り離すことができるようになっている。これにより、箱本体３内部に収納された商品包装体２をさらに露出して、より効果的に商品包装体２をディスプレイすることができるとともに、商品包装体２を上方から円滑に取り出すことが可能となる。
【００３６】
なお、この切目線３９の形状は、本実施形態のものに限られるものではなく、前板部３２の横切目線３７との接続位置から後板部３３まで水平に延びる形状や、前板部３２の横切目線３７との接続位置から後板部３３まで上方に向けて傾斜する形状など、種々の形状を採用することができる。また、必ずしも、前板部３２の横切目線３７と連続している必要もない。
【００３７】
上記した前板部３２の一部が裂開した状態では、裂開板部５３ａ，５３ｂが前板部３２から遊離することにより、箱本体３の前面には、上端縁中央にコ字状に切り欠かれた切欠部５０を有する前板部３２の残存部５１が形成される。この前板部３２の残存部５１は、切欠部５０の底部が、箱本体３内部の最前列上段に配置された商品包装体２の商品収容部２０の下面（本実施形態では支持片２４）とほぼ同じ高さに位置するように、寸法設定されている。前板部３２の一部を裂開して、箱本体３内部の商品包装体２を露出させた際、図６および図７に示すように、先細りに形成された支持片２４の先端部分が、この前板部３２の残存部５１の切欠部５０に進入して嵌まり込み、前記最前列上段の商品包装体２が前板部３２の残存部５１により堰き止められることにより、前記最前列上段の商品包装体２は前方に傾くのが防止されるとともに、前板部３２の残存部５１を乗り越えて開口部３８から外部に転落するのが防止される。
【００３８】
このように、本実施形態のディスプレイ兼用包装箱１では、前板部３２の一部を裂開することで、内部に収納された商品包装体２をディスプレイ可能にしているとともに、前板部３２の残存部５１を、前記最前列上段の商品包装体２の商品収容部２０を支持可能に残すことで、開口部３８から外部に転落するのを防止する転落防止手段として機能させている。
【００３９】
上記した構成の箱本体３は、例えば図５に示されるような、所定の肉厚を有する１枚の段ボール製の型紙１０を所定の折り目に沿って折り曲げることにより組み立てられる。なお、箱本体３は、この実施形態では段ボール製であるが、これに限られるものではなく、種々の素材を用いて形成することができる。
【００４０】
箱本体３を組み立てるための型紙１０は、長方形状の底板部３１を中心として、両側板部３４が底板部３１の長辺側にそれぞれ折り目１１ａ，１１ｂを介して連設されている。各側板部３４には、その短辺側に、それぞれ前板部３２および後板部３３を構成する半割板部３２ａ，３２ｂ，３３ａ，３３ｂが折り目１２ａ，１２ｂ，１３ａ，１３ｂを介して連設されている。底板部３１の両端にはフラップ３４ｂ，３４ｃが、また、各側板部３４の一端にはフラップ３４ａ，３４ａが、それぞれ折り目１４ａ〜１４ｃを介して設けられている。なお、各折り目１４ａは、切断部分と非切断部分が一定間隔で連続したミシン目状の切断ラインからなり、各フラップ３４ａを各側板部３４から容易に切り離すことができるようになっている。
【００４１】
型紙１０から箱本体３を組み立てるには、まず、両側板部３４を折り目１１ａに沿って折り曲げて垂直に立ち上げた後、各半割板部３２ａ，３２ｂ，３３ａ，３３ｂを折り目１２ａ，１２ｂ，１３ａ，１３ｂに沿って内向きにそれぞれ９０度折り曲げる。そして、隣り合う２つの半割板部３２ａ，３２ｂ（および３３ａ，３３ｂ）について、その端面同士を付き合わせることによって、前板部３２および後板部３３をそれぞれ形成する。なお、フラップ３４ｂ，３４ｃは、前板部３２および後板部３３にそれぞれ貼着することにより、これらを補強する補強壁として機能する。
【００４２】
次に、商品包装体２をディスプレイ用包装箱１に収納する方法について説明する。まず、所定数の商品包装体２を商品収容部２０が同一方向に突出するように配列した後、一対の挟持部材（図示せず）により、商品収容部２０の前部を隣接する商品収容部２０の背面に突き合わせた状態で挟持して、これを、図５に示す箱本体３の型紙１０の底板部３１上に起立状態で並べる。次に、同じく所定数の商品包装体２を商品収容部２０が同一方向に突出するように配列した後、一対の挟持部材（図示せず）により、商品収容部２０の前部を隣接する商品収容部２０の背面に突き合わせた状態で挟持する。そして、各挟持部材で挟持した状態で、この所定数の商品包装体２を、各商品収容部２０が既に型紙１０の底板部３１上に起立状態で載置されている各商品包装体２の商品収容部２０上に載置する。
【００４３】
そして、複数の商品包装体２を上下二段に配列すると、両側板部３４を折り目１１ａに沿って折り曲げて垂直に立ち上げた後、各半割板部３２ａ，３２ｂ，３３ａ，３３ｂを折り目１２ａ，１２ｂ，１３ａ，１３ｂに沿って内向きにそれぞれ９０度折り曲げ、隣り合う２つの半割板部３２ａ，３２ｂ（および３３ａ，３３ｂ）を糊付けなどで接着して接続することによって、前板部３２および後板部３３をそれぞれ形成する。そして、各挟持部材を上方から抜き出した後、フラップ３４ｂ，３４ｃを前板部３２および後板部３３に重ね合せて貼着するとともに、フラップ３４ａ，３４ａを折り曲げて、蓋体４をフラップ３４ａ，３４ａ、前板部３２および後板部３３に重ね合せて貼着することで、上下二段積みされた複数の商品包装体２がディスプレイ兼用包装箱１に収納される。
【００４４】
次に、このディスプレイ兼用包装箱１の使用状態を説明する。ディスプレイ兼用包装箱１が搬送されると、図９に示すように、複数箱を積み上げた状態で店頭などに置かれる。最上部に位置するディスプレイ兼用包装箱１は、蓋体４を取り去るとともに、前板部３２を裂開補助線３６および横切目線３７によって裂開して、前板部３２の一部である裂開板部５３ａ，５３ｂを観音開き状に開放するとともに、各側板部３４および後板部３３を切目線３９によって切断して、箱本体３の上方部分を箱本体３から取り外す。これにより、収納されていた商品包装体２が露出し、これをディスプレイすることができる。
【００４５】
最上部ではない箇所に位置するディスプレイ兼用包装箱１は、蓋体４の側面部４１ａを開けて切り取り、次いで、前板部３２を裂開補助線３６および横切目線３７によって裂開して、裂開板部５３ａ，５３ｂを観音開き状に開放するとともに、各裂開板部５３ａ，５３ｂを折り目１２ａ，１２ｂに沿って取り去る。これにより、収納された商品包装体２が外部から視認可能な状態となる。
【００４６】
また、最上部のディスプレイ兼用包装箱１に収納されている商品包装体２が全て取り出されると、このディスプレイ兼用包装箱１を取り除き、その下のディスプレイ兼用包装箱１の蓋体４を取り外すとともに、前板部３２の各裂開板部５３ａ，５３ｂを開放して箱本体３の上方部分を取り外せば、このディスプレイ兼用包装箱１の内部に収納されている商品包装体２の取り出しが可能になる。
【００４７】
上記した構成のディスプレイ兼用包装箱１によると、実際に商品包装体２の取り出しが可能な状態となっている最上段のディスプレイ兼用包装箱１のみならず、下段に位置する待機中のディスプレイ兼用包装箱１においても、前板部３２の一部を裂開することにより、内部に収納された商品包装体２を外部から視認可能とすることができるので、来店者に与える印象を賑やかなものとすることができる。
【００４８】
また、下段に位置する待機中のディスプレイ兼用包装箱１は、その上面に、蓋体４の天面部４０（蓋体４を全て取り外した場合には、箱本体３のフラップ３４ａ，３４ａ）が存在しているので、その上方にディスプレイ兼用包装箱１を安定した状態で積み重ねることができるようになっている。
【００４９】
また、ディスプレイ兼用包装箱１内に、商品包装体２が上下２段に積み重ねられた状態で収納されているので、包装箱内の無駄な空隙を削減でき、商品包装体２の収納効率を上げることができる。
【００５０】
また、上段に位置する各商品包装体２は、一つ前の下段に位置する商品包装体２が取り除かれると、下方に位置する商品包装体２の商品収容部２０の湾曲部分２６をつたって前方に滑り落ち、自然に箱本体３の底板部３１上に落下する。このように、少しでも箱本体３内の前方位置に配置されるようになるので、後列側に収納された商品包装体２について
も箱本体３から取り出し易くなるとともに、箱本体３内に残っている商品包装体２が見易くなるため、商品の陳列効果の向上を図ることができる。
【００５１】
また、箱本体３内部の最前列上段に配置された商品包装体２は、前板部３２の一部が裂開されて露出する際、この前板部３２の残存部５１により、前方に傾くのが防止されるので、開口部３８から外部に転落するのを防止することができる。
【００５２】
以上、本発明の一実施形態について説明したが、本発明の具体的な態様は、上記実施形態に限定されるものではない。例えば、本実施形態では、前記転落防止手段は、前板部３２の残存部５１に設けたコ字状の切欠部５０に、最前列上段の容器包装体２の商品収容部２０の下面（支持片２４）の先端を嵌入係合させることで、開口部３８から外部に転落するのを防止しているが、必ずしもこれに限られるものではなく、例えば、図１０に示すように、前板部３２の残存部５１を、その上端縁に切欠部５０を設けることなく直線状となるように形成するとともに、最前列上段の容器包装体２の商品収容部２０の少なくとも一部（図示例では下半部）を支持できるように、その上端縁の高さ位置を寸法設定することで、最前列上段の商品包装体２の開口部３８からの転落を堰き止めるように防止してもよい。また、図１１に示すように、図１０に示した前板部３２の残存部５１の上端縁をＶ字状に切り欠いて、商品収容部２０の左右両側を支持するように構成してもよい。
【００５３】
また、図１２に示すように、前板部３２に、その両側縁からそれぞれ所定間隔を空けて平行に延びる一対の縦折目線５４と、両縦折目線５４Ａ，５４ｂの略中央位置に、前側板３２の上縁から下縁に向かって延びる縦切目線（図示せず）と、前記縦切目線の下端から左右方向に向かって延びる横切目線（図示せず）とを形成する。そして、この縦折目線５４Ａ，５４ｂに沿って前側板３２の一部を裂開して観音開き状に遊離させて、開口部３８の両側位置に左右一対の前板部３２の残存部５１を形成することにより、最前列上段の商品包装体２の商品収容部２０の左右両側を支持して、開口部３８からの転落を防止するように構成してもよい。
【００５４】
また、図１３に示すように、各側板部３４の一部分を略コ字状に切り欠くことで、一対の支持片５５ａ，５５ｂを形成し、各支持片５５ａ，５５ｂを開口部３８側に折り曲げて最前列上段の商品包装体２の商品収容部２０に当接させることで、これを支持して、開口部３８からの転落を防止するように構成してもよい。
【００５５】
また、本実施形態では、各商品包装体２の商品収容部２０の上面（本実施形態では、容器２の上側側面）に、平面部分２５および前記平面部分２５から前方に向けて低く傾斜する湾曲部分２６が連設されているが、図１４に示すように、各商品包装体２の商品収容部２０の上面を凸状の湾曲面に形成してもよい。この実施形態では、上段に位置する商品包装体２を、下段に位置する商品包装体２の商品収容部２０上に、その重心位置が、前記商品収容部上面の凸曲面の頂部位置Ｏよりも前方側へ偏るように配置することで、上段に載置された商品包装体２は、下段に載置された商品包装体２の商品収容部２０上を前方に向けて滑って、箱本体３の底板部３２上に落下するようになる。
【符号の説明】
【００５６】
１    ディスプレイ兼用包装箱
２    商品包装体
３    箱本体
４    蓋体
２０  商品収容部
２１  商品
２２  ヘッダ部
２５  平面部分
２６  湾曲部分
３０  上面開口
３１  底板部
３２  前板部
３３  後板部
３４  側板部
３５  収納空間
３８  開口部
５０  切欠部
５１  残存部
５５ａ，５５ｂ  支持片
【図１】
0006038197.tif 000002
【図２】
0006038197.tif 000003
【図３】
0006038197.tif 000004
【図４】
0006038197.tif 000005
【図５】
0006038197.tif 000006
【図６】
0006038197.tif 000007
【図７】
0006038197.tif 000008
【図８】
0006038197.tif 000009
【図９】
0006038197.tif 000010
【図１０】
0006038197.tif 000011
【図１１】
0006038197.tif 000012
【図１２】
0006038197.tif 000013
【図１３】
0006038197.tif 000014
【図１４】
0006038197.tif 000015